(57)【要約】【課題】簡易な構造で移動や設置を行いやすく、必要に応じて容易に使用することができる仮設の真空式トイレシステムを提供すること。【解決手段】真空ステーション（真空源）２１に真空管路（真空下水道管）２３を連通してなる真空式下水道システム２０に、移動可能なトイレユニット１０の排水タンク１３を接続し、真空式下水道システム２０の真空管路２３により、排水タンク１３内の排水及び汚物を真空弁１８ａを介して搬送する。【選択図】図１
2009121070.tif 000002
【特許請求の範囲】
【請求項１】
真空源に真空下水道管を連通してなる真空式下水道システムに、移動可能なトイレユニットの排水タンクを接続し、
前記真空式下水道システムの真空下水道管路により、前記排水タンク内の排水及び汚物を真空弁を介して搬送することを特徴とする真空式トイレシステム。
【請求項２】
前記トイレユニットは、水源に連通されると共に前記真空式下水道システムに連通された貯水タンクを上部に備え、
前記真空式下水道システムの真空下水道管路により、前記水源の水を吸い上げて前記貯水タンク内に洗浄水が満たされることを特徴とする請求項１に記載の真空式トイレシステム。
【請求項３】
前記排水タンク又は前記貯水タンクは、前記真空下水道管から分岐形成された点検用管路に接続されたことを特徴とする請求項２に記載の真空式トイレシステム。
【請求項４】
前記点検用管路は先端部が分岐され、この分岐された先端部のそれぞれに前記トイレユニットが接続されたことを特徴とする請求項３に記載の真空式トイレシステム。
【発明の詳細な説明】
【技術分野】
【０００１】
本発明は、災害現場や工事現場等で使用される仮設の真空式トイレシステムに関するものである。
【背景技術】
【０００２】
従来から、真空ポンプを利用して真空引きすることで、トイレユニットから排水及び汚物を搬送する仮設真空式トイレシステムが知られている（例えば、特許文献１参照）。
【０００３】
この仮設真空式トイレシステムでは、トイレユニットと、真空ポンプユニットと、発電機ユニットとを備えている。
【０００４】
ここで、トイレユニットは真空弁及びホースを順に介して真空ポンプユニットの集水タンクに接続され、発電機ユニットは電源ケーブルを介して真空ポンプユニットの真空ポンプに接続されている。また、集水タンクは真空ポンプに接続されている。
【０００５】
発電機ユニットからの電力供給により真空ポンプが作動すると、集水タンクとホースとを介して真空弁の手前まで真空にされる。
【０００６】
そして、適宜真空弁を開くことにより、トイレユニット内に溜まった排水及び汚物を集水タンクに搬送するようになっている。
【０００７】
また、地中に横方向に埋設されると共に一端が既設の下水道管に連結した排水管に、縦方向に延びる複数の縦管を設け、必要に応じて縦管の先端に便器を連結する仮設トイレ用配管構造も知られている（例えば、特許文献２参照）。
【０００８】
この仮設トイレ用配管構造では、便器からの汚水は縦管を通じて排水管に流れ込み、さらに既設の下水道管に直接流すようになっている。
【特許文献１】特公平６−７５５５８号公報
【特許文献２】特開平１１−１０７３６２号公報
【発明の開示】
【発明が解決しようとする課題】
【０００９】
ところで、上述の仮設真空式トイレシステムでは、真空ポンプを駆動するための発電機ユニットが必要であった。
【００１０】
そのため、システム全体が大掛かりなものとなり、移動や設置に手間がかかったり、広い設置スペースが必要になったりしていた。
【００１１】
また、外部からの電力供給が可能であれば発電機ユニットを省略することができるが、特に災害現場では外部からの電力供給が困難になりやすく、発電機ユニットを省略することは難しいと考えられる。
【００１２】
一方、上述の仮設トイレ用配管構造では、縦管が接続された排水管をあらかじめ下水道管に接続しておく必要があり、容易に移動したり設置したりすることが難しかった。
【００１３】
そこで、この発明は、簡易な構造で移動や設置を行いやすく、必要に応じて容易に使用することができる仮設の真空式トイレシステムを提供することを課題としている。
【課題を解決するための手段】
【００１４】
上記課題を解決するために、この発明に係る真空式トイレシステムは、真空源に真空下水道管を連通してなる真空式下水道システムに、移動可能なトイレユニットの排水タンクを接続し、前記真空式下水道システムの真空下水道管路により、前記排水タンク内の排水及び汚物を真空弁を介して搬送することを特徴としている。
【００１５】
また、前記トイレユニットは、水源に連通されると共に前記真空式下水道システムに連通された貯水タンクを上部に備え、前記真空式下水道システムの真空下水道管路により、前記水源の水を吸い上げて前記貯水タンク内に洗浄水が満たされるようにしてもよい。
【００１６】
また、前記排水タンク又は前記貯水タンクは、前記真空下水道管から分岐形成された点検用管路に接続されていてもよい。
【００１７】
また、前記点検用管路は先端部が分岐され、この分岐された先端部のそれぞれに前記トイレユニットが接続されていてもよい。
【発明の効果】
【００１８】
この発明によれば、あらかじめ敷設されている真空式下水道システム又は特許文献１に記載の仮設真空式下水道システムにトイレユニットの排水タンクを接続することで、トイレユニットの排水及び汚物を真空弁を介して真空式下水道システムによって搬送することができ、従来の下水道接続型仮設トイレのように汲み取りが不要となり、クリーンで長期間使用可能なトイレユニットが可能となる。
【００１９】
これにより、大掛かりな設備や電源装置等が不要となり、簡易な構造で移動や設置を行いやすく、必要に応じて容易に多数の仮設トイレを設置、使用することができる。
【００２０】
また、トイレユニット上部に備えられた貯水タンクへの給水は、真空式下水道システムにより生じる真空によって水源から水を吸い上げることで行えるので、貯水タンクへの給水車等による給水や、電動ポンプ等を使用した給水が不要になり、さらに容易に水洗トイレを使用することが可能となる。
【００２１】
また、排水タンク又は貯水タンクを真空式下水道システムの点検用管路に接続することにより、真空式下水道システムへの接続を容易に行うと共に、空気漏れ等の不具合が発生しにくくなる。
【００２２】
また、点検用管路の先端部が分岐されてそれぞれにトイレユニットが接続されるので、複数のトイレユニットを必要に応じて容易に設置することが可能となる。
【発明を実施するための最良の形態】
【００２３】
次に、図面に基づいて、この発明を実施するための最良の実施の形態の真空式トイレシステム（以下、トイレシステムと言う）を説明する。
【００２４】
この発明に係るトイレシステム１では、図１に示すように、移動可能なトイレユニット１０が真空式下水道システム２０に接続されている。
【００２５】
このトイレユニット１は、便器１１と、この便器１１へ給水する貯水タンク１２と、便器１１からの排水を一時的に貯留する排水タンク１３と、便器１１を囲う囲い部１４と、給水管１５と、洗浄水ダクト１６と、給水用真空ダクト１７と、排水用真空ダクト１８とを備えている。
【００２６】
貯水タンク１２は、便器１１の上方に配置され、自然流下によって便器１１へと水を供給するようになっている。
【００２７】
排水タンク１３は、便器１１の下方に配置され、自然流下によって便器１１からの排水が流れ込むようになっている。
【００２８】
囲い部１４は、便器１１の周囲を取り囲んで目隠しするものであり、図示しないドア付の出入り口が形成されている。なお、ここでは、囲い部１４の上部に貯水タンク１２が設置され、囲い部１４の下部に排水タンク１３が設置され、便器１１、貯水タンク１２、排水タンク１３、囲い部１４が一体になっている。
【００２９】
給水管１５は、一端１５ａが貯水タンク１２内に連通し、他端１５ｂが川や池等の水源Ｗに挿入されている。
【００３０】
洗浄水ダクト１６は、貯水タンク１２の下面１２ａと便器１１とを連通するものであり、中間部に洗浄水バルブ１６ａが設けられている。この洗浄水バルブ１６ａの開閉により、自然流下する貯水タンク１２内の水の調整を行うようになっている。
【００３１】
給水用真空ダクト１７は、貯水タンク１２内と排水用真空ダクト１８の中間部とを連通するものであり、中間部に給水用弁１７ａが設けられている。この給水用弁１７ａを開くことで、貯水タンク１２が排水用真空ダクト１８を介して真空式下水道システム２０と連通し、給水管１５を通じて給水される。
【００３２】
排水用真空ダクト１８は、排水タンク１３内と真空式下水道システム２０とを連通するものであり、中間部に真空弁１８ａが設けられている。ここで、真空弁１８ａは、給水用真空ダクト１７が連結された部分１８ｂよりも排水タンク１３の内部側に位置している。そして、この真空弁１８ａが開くことで、排水タンク１３が真空式下水道システム２０と連通し、排水タンク１３内の排水と汚物が後述する真空下水管２３を通って下流へ搬送される。
【００３３】
また、この排水用真空ダクト１８は、真空式下水道システム２０の後述する点検用管路２５に接続されている。
【００３４】
真空式下水道システム２０は、図２に示すように、真空ステーション（真空源）２１と、真空弁ユニット２２と、真空管路（真空下水道管路）２３等とを備えている。
【００３５】
真空ステーション２１は、図示しない真空ポンプ及び圧送ポンプを有しており、真空管路２３内を真空引きすると共に、真空引きした真空管路２３内の汚水を下水処理場Ｇに圧送する。
【００３６】
真空管路２３は、地中に埋設されて真空ステーション２１と真空弁ユニット２２とを連通するものであり、この真空管路２３内は真空に保たれている。
【００３７】
真空弁ユニット２２は、各家庭や工場等の設備Ｓから排出される汚水を一時的に貯留する貯留部（図示せず）と、真空管路２３を開閉する真空弁部（図示せず）とを有している。この貯留部内に真空管路２３の先端部は挿入されており、真空弁部が開放することで貯留部内の汚水が真空管路２３内に吸い込まれるようになっている。
【００３８】
なお、この真空弁ユニット２２は、流入管２４を介して設備Ｓに接続されている。設備Ｓからの汚水は、自然流下によって流入管２４内を流れ、真空弁ユニット２２の貯留部内に流れ込むようになっている。
【００３９】
さらに、真空管路２３には、中間部に一定間隔で点検用管路２５，…が分岐形成されている。各点検用管路２５は、管路敷設時等に真空漏れが発生していないかを検査するためのものであり、通常はバルブが設けられている。この点検用管路２５の先端開口部（先端部）２５ａは、地表近くに位置しており、図示しない蓋によって通常密閉されている。
【００４０】
次に、この発明に係るトイレシステム１の作用について説明する。
【００４１】
このトイレシステム１を設置するには、まず、工事現場や災害現場等の緊急にトイレ設備が必要になった場所にトイレユニット１０を搬送する。
【００４２】
このとき、トイレユニット１０は、便器１１、貯水タンク１２、排水タンク１３、囲い部１４が一体になっていると共に、電力設備等がない簡易な構造なので、搬送や設置を行いやすい。
【００４３】
そして、次に給水管１５の一端１５ａを貯水タンク１２内に挿入すると共に、他端１５ｂを近傍の水源Ｗに挿入する。
【００４４】
さらに、排水用真空ダクト１８を、あらかじめ敷設されている真空式下水道システム２０の真空管路２３から分岐形成されている点検用管路２５の図示しない蓋をとり、この点検用管路２５の先端開口部２５ａに接続する。
【００４５】
なお、洗浄水ダクト１６、給水用真空ダクト１７はあらかじめトイレユニット１０内に配管されている。
【００４６】
そして、洗浄水バルブ１６ａ及び真空弁１８ａの閉状態で、給水用弁１７ａを開く。
【００４７】
これにより、真空式下水道システム２０と貯水タンク１２とが連通し、この真空式下水道システム２０により生じる真空によって貯水タンク１２内が真空となり、給水管１５を通じて水源Ｗの水を吸い上げることができる。
【００４８】
このように、真空式下水道システム２０により生じる真空によって水を吸い上げることで、貯水タンク１２への給水車等による給水や、電動ポンプ等を使用した給水が不要になり、さらに容易に使用することが可能となる。
【００４９】
そして、貯水タンク１２が満水になったら給水用弁１７ａを閉め、トイレユニット１０は使用状態となる。
【００５０】
さらに、便器１１を使用したら、洗浄水バルブ１６ａを開き、貯水タンク１２内の水を流下させて便器１１の洗浄を行う。このとき生じた排水は、自然流下により便器１１の下方に設置されている排水タンク１３内に流入する。なお、洗浄水バルブ１６ａは一定量の水が流下したら閉められ、貯水タンク１２からの水の供給を停止する。
【００５１】
一方、排水タンク１３内に貯留した排水が一定量となったら、真空弁１８ａが一定の水位を検知して開く。このとき、給水用弁１７ａは閉まっているので、真空式下水道システム２０と排水タンク１３とが連通し、この真空式下水道システム２０により生じる真空によって、排水タンク１３内に貯留した排水と汚物が真空ステーション２１に吸い込まれて搬送される。
【００５２】
このように、電源設備やトイレユニット１０ごとの真空装置等がなくとも、トイレユニット１０を必要に応じて容易に使用することが可能となっている。
【００５３】
また、上述の実施の形態では、排水用真空ダクト１８を点検用管路２５に接続している。
【００５４】
これにより、真空管路２３の空気漏れ等の不具合を発生させずに、排水用真空ダクト１８を真空式下水道システム２０に容易に接続することができる。
【００５５】
以上、この発明にかかる実施の形態を図面により詳述してきたが、具体的な構成は上述の実施の形態に限らない。この発明の要旨を逸脱しない範囲の設計の変更等はこの発明に含まれる。
【００５６】
例えば、あらかじめ点検用管路２５の先端開口部２５ａが分岐されており、分岐された先端開口部２５ａのそれぞれにトイレユニット１を接続してもよい。
【００５７】
これにより、複数のトイレユニット１を必要に応じて設置することが可能となる。
【００５８】
また、点検用管路２５があらかじめ分岐されていなくとも、分岐ダクトを点検用管路２５の先端開口部２５ａに接続し、この分岐ダクトを介して複数のトイレユニット１を真空式下水道システム２０に接続することもできる。
【図面の簡単な説明】
【００５９】
【図１】本発明に係る真空式トイレシステムの構成を示す概略図である。
【図２】真空式下水道システムを示す説明図である。
【符号の説明】
【００６０】
１０        トイレユニット
１３        排水タンク
１８ａ      真空弁
２０        真空式下水道システム
２１        真空ステーション（真空源）
２３        真空管路（真空下水道管）
【図１】
2009121070.tif 000003
【図２】
2009121070.tif 000004